(57)【要約】【課題】軸付き板と食いつき孔付き部材を用いて取り付けを簡単にし、さらに付帯物をはさむことも可能な、強固な取り付け構造を提供する。【解決手段】板材より突出する軸を設けた弾性板材と、食いつきによって軸を抜け止めできる抜け止め孔付き弾性部材とを組み合わせ、その間に取り付け物および、付帯物をはさむことができる取り付け構造を持ち、且つ、各部材のバネ弾性を利用してはさみこんだ物が、互いに密着固定することができる。さらに圧着する場合には軟弱な部材にも対応できる。【選択図】    図１
2005023961.tif 000002
【特許請求の範囲】
【請求項１】
板材より突出する軸を設けた弾性板材と、食いつきによって軸を抜け止めできる抜け止め孔付き弾性部材が、組み合わさる構成であり、その間に取り付け物および、付帯物をはさむことが出来る取り付け構造を持ち、且つ、板材より突出する軸を設けた板材と、抜け止め孔付き弾性部材が板バネの作用により引っ張り合うことで、互いに密着固定された軸と孔を用いた取り付け構造。
【請求項２】
板材より突出する軸を設けた板材と、食いつきによって軸を抜け止めできる抜け止め孔付き弾性部材とが、組み合わさる構成であり、その間に取り付け物および、付帯物をはさむことが出来る取り付け構造を持ち、且つ、板材より突出する軸を設けた板材の軸に弾力に富む部材を用い、板材より突出する軸を設けた板材と、抜け止め孔付き弾性部材とが、弾力に富む部材の引っ張りバネの作用によって、互いに密着固定された軸と孔を用いた取り付け構造。
【請求項３】
複数の軸、または複数の孔が有ることを特徴とする上記請求項１、又は２記載の軸と孔を用いた取り付け構造。
【請求項４】
食いつき部と、その他の食いつき部の間に、変形可能なつなぎ部を設け変形することにより、取り付け間隔または、軸と孔の心のずれを補正できる吸収部を設けた上記請求項３記載の軸と孔を用いた取り付け構造。
【請求項５】
取り付け物または付帯物を、キリの先端形状のように先端を尖らせた軸で貫通させ、その貫通孔を取り付け用の孔とすることができる上記請求項１、２、３、又は４記載の軸と孔を用いた取り付け構造。
【請求項６】
軸の根元に補強Ｒまたは、補強Ｒとヌスミがあることを特徴とする上記請求項１、２、３、４、又は５記載の軸と孔を用いた取り付け構造
【請求項７】
取り付け物が網材または多孔材であり、抜け止め孔付き弾性部材、もしくは板材より突出する軸を持つ板材、もしくは付帯物のいずれかに、取り付け基準部と雨返し部を設けた部材を用い、屋外側に雨水が落下するように雨返し部を設定し、取り付け基準部により姿勢保持することを特徴とする上記請求項１、２、３、４、５、又は６記載の軸と孔を用いた取り付け構造。
【請求項８】
取り付け物が網材、もしくは多孔材において、板材の平面方向に高低差を設け、高低差のある部分より突出する複数の軸を持つ板材を、屋外側に雨水が落下するように設定し、網材または、多孔材の貫通孔に通し、食いつきによって軸を抜け止めできる孔を持つ抜け止め孔付き弾性部材を組み合わせ、姿勢保持する軸と孔を用いた取り付け構造。
【請求項９】
取り付け物が網材または、多孔材であり、遮光調整用板材として突出する複数の軸を持つ可動用板材と、食いつきによって軸を抜け止めできる複数の孔を持つ、抜け止め孔付き弾性板材を組み合わせ、その間に、網材の貫通孔に通し、はさむことによって網材を支点に可動ができ、なお且つ、可動用板材に連結する角度調整用部材を設けることにより、遮光調整ができる軸と孔を用いた取り付け構造。
【請求項１０】
組み合わせ後に孔に貫通する軸が、必要以上に長いに場合において、軸を切断するための目印があることを特徴とする上記請求項１、２、３、４、５、６、７、８、又は９記載の軸と孔を用いた取り付け構造。
【発明の詳細な説明】
【０００１】
【発明が属する技術分野】
本発明は、取り付け物、または付帯物を軸付き板材と、抜け止め孔付き弾性部材の孔によって抜け止めし、固定することができる取り付け構造に関するものである。
【０００２】
【従来の技術】
従来より、軸を抜け止め孔付きの止め具に通し、抜け止め孔の弾性を利用し、食いつきによって軸を、抜け止めできる取り付け構造の例はあった。
【０００３】
【発明が解決しようとする課題】
解決しようとする問題点は、孔を利用して取り付けをする場合は、ねじを使用することや挿入後に折り曲げをする等があげられるが、面倒であり、場合によっては取り付け物、あるいは軸を変形や破損させる点である。
なお、網材または多孔材を取り付け部とする理由は、網戸を使用する場合に建造物の工事などを望まない（借家等に住む）人などが、広告、遮光、防水、プライバシーの保護などを希望する場合があり、網戸の網材を利用すれば良いと考えても、簡単に取り付けることができるものはなく、網戸等を加工しなければならない点である。
このような課題を、克服するために取り付けが簡単で、確実であり、なお且つ、強度に優れた軸と孔を用いた取り付け構造を発展させることである。
【０００４】
【課題を解決するための手段】
【０００５】
請求項１の場合は、板材から突出する軸を設け、その軸の周りに組み合わせ後に、軸側に空間ができるように凸部を設けた弾性板材と、食いつき用の孔として複数の爪を切り起こした形状、または複数の凹凸のある孔をあけ、爪となる凸部を起こした形状によって軸を抜け止めできる抜け止め孔付き弾性部材と、双方を組み合わせる。その際、軸断面寸法よりも、孔の食いつき部となる複数の爪を起こした爪間最小孔寸法を小さくし、圧入とし、爪が平面より出ていない誘い面より軸を挿入する。その軸付き弾性板材と孔付き弾性部材の間に、取り付け物および付帯物をはさみ、圧縮し空間を減少させる。圧縮をやめると、空間を元に戻そうとする板バネの作用によりはさんだ物が、互いに密着固定することができる取り付け構造となる。また、軸断面寸法と、孔の爪間最小孔寸法および、爪起こし角度および、軸の表面粗さ、素材の反発力、孔材の厚みにより、食いつきの強度は設定できる。さらに、複数の抜け止め孔付き弾性部材を設定することで、なお強固に固定できる。取り外す場合には、食いつきが弱くすることで無理抜きもできる。また、軸に意図を持って軸に凹凸やかえし部を設ければさらに強固に固定する部位を設定できる。あるいは軸に食い込む材料を用いても抜け止め効果は上がる。場合によっては、軸に弱い材料を用い、無理にはずす方向に引っ張り、軸を食い切ることで孔側を無傷にするような設定もできる。また、軸断面形状は、円形または、多角形または、異形等、特に形状は問わないが、孔と使用目的の用途に合わせる設定とする。また、軸の断面形状を楕円形、三角形、あるいは四角形のような軸断面寸法に大小の差を設定し、対応する孔の一部または数箇所にのみ食いつく形状とし、軸側あるいは、孔側のどちらかを回転させれば、食いつかなくなるような形状を設定すれば、取り付け取り外しができる。さらに食いつき孔において軸と接する部分に凹凸を設けることでクリック感をだす、あるいは軸が回転することを抑えることもできる。ただし、特に取り外しを考慮せず、軸側と孔側の双方に金属材料等の高強度材を使用し、なお且つ、食いつきも高強度にした場合は、食いつく位置の戻す方向への移動や、再度の付け直しが難しく、軸側または孔側を破壊しなくてはならない場合もある。
【０００６】
請求項２の場合は、板材から突出する軸材に、弾力に富む部材を用いた弾性板材と、食いつきによって軸を抜け止めできる、抜け止め孔付き弾性部材を組み合わせる。その際に無負荷状態の軸断面寸法よりも、孔の周りに複数の爪を起こした形状の爪間最小孔寸法を小さくし、爪が平面より出ていない誘い面より軸を挿入する。その軸付き弾性板材と孔付き弾性部材の間に、取り付け物および付帯物をはさみ圧縮する。場合によっては、孔より出た部分の軸をも引っ張る。引っ張りおよび、圧縮をやめれば、弾力に富む軸材を用いたことにより、板材より突出する軸を設けた板材と、抜け止め孔付き弾性部材とが、引っ張りバネの作用によって、はさんだ物が互いに密着固定することができる取り付け構造となる。さらに、取り付け後でも、軸を引っ張り、伸ばすことで軸が細くなる変化により、食いつき孔寸法よりも軸寸法を小さくすることができ、食いつく位置を移動し再度取り付けなおしができる。また、軸先端の一定の範囲に、引っ張り伸ばさない無負荷の状態において、爪間孔寸法より細い設定にすれば取りはずしもできる。その際に軸の裏側にもつかむ部分があればさらに、作業が簡単にできる。
また、請求項１記載の、軸の周りに組み合わせ後に、軸側に空間ができるように凸部を設ければさらに密着を強くすることができる。
【０００７】
請求項３の場合は、上記請求項１，２記載の食いつき部を複数設け、単純に密着固定を強くする。また、軸を複数にすることで軸付き弾性板材の軸を両端部より突出させることでカタカナのコの字状に出来る場合があり、その場合にはプレス生産に適した形状となるため、生産効率と歩留まりを良くできる。
【０００８】
請求項４の場合は、複数の食いつき部の間に、吸収部として弾力のある部材をつなぎとして設ける。または、複数の食いつき部の距離を変化できるように山形、または、谷形、あるいは、台形状の孔とその輪郭に対応する細いつなぎさんを設けつなぎ部が可変できるようにする。なお、その際は、食いつき部の強度を損なうほどの無理な設定はしない。
【０００９】
請求項５の場合は、軟質樹脂やゴム、紙、繊維等の薄い軟質材を連結する場合、または綴る場合において、あらかじめ孔をあけてなくても良い方法が無い点である。また、木材や硬質樹脂、建材等に孔をあける場合は、軸の先端を三叉等のキリの先端形状に設定することで、回転させながら容易に孔をあけることができる。ただし、軸を複数設けた場合は、回転できない場合もある。
【００１０】
請求項６の場合は、強い力が加わると軸の根元に応力が集中するが、応力を分散するため軸の根元に補強Ｒを設ける。また、軸先端で軟質材を破る場合には、軸の周りに余った軟質材のかえりが発生することもあるが、根元にかえりの逃げ部となるヌスミを設けることで密着の妨げになることを防げる。
【００１１】
請求項７の場合は、取り付け物が網材または多孔材においては、網目または小孔に軸を通すとその通した部分が風、雪、雨等の外力によって傷つきやすく、網目も大きくなりやすい。それを防ぐため、および、材質が軟弱な場合には横ずれを防ぐためにも、複数の食いつき部を設定した方が良い。その際は、食いつきを強固にし、軸だけで保持しないようにバネ性を高めた圧着固定にする。また、網材または多孔材への取り付けは、網材または多孔材の水平方向の長さに対応する部材を切断し、屋外側に雨水が落下するように雨返し部を設定し、取り付け基準部を網面に密着させ姿勢保持する。これを所定の間隔で上下に配置する場合もある。また、網材または多孔材が軸に接する面あるいは孔の挿入面に、網目の補強として板材に孔を設けた部材の接触面に粘着材または、高弾力材または、突起等により横ずれの無いようにすれば網が傷むのを防げる。
【００１２】
請求項８の場合は、取り付け物が網材または多孔材において、板材の平面方向に高低差を設け、高低差のある部分より突出する複数の軸を持つ板材を、網材または多孔材の水平方向の長さに対応する部材を切断し、屋外側に雨水が落下するように設定し、網材または多孔材の貫通孔に通し、食いつきによって軸を抜け止めできる孔を持つ抜け止め孔付き弾性部材を組み合わせ、密着させ食いつき位置を上下左右の各方向に、少なくても三箇所以上に配置することにより姿勢保持する。これを所定の間隔で上下に配置する場合もある。
【００１３】
請求項９の場合は、取り付け物が網材または多孔材において、遮光調整用板材として突出する複数の軸を持つ可動用板材を、網材または多孔材の水平方向の長さに対応する部材を切断し、屋外側に雨水が落下するように設定し、網材または多孔材の貫通孔に通し、カール状に湾曲した複数の孔を持つ、抜け止め孔付き弾性板材を組み合わせ密着させる。これで網材または多孔材を支点に可動ができる。これを所定の間隔で上下に配置する。さらに、可動用板材に連結材を取り付け、上下に動く角度調整用部材と組み合わせる。
【００１４】
請求項１０の場合は、挿入に最低必要な長さの軸であっても、組み合わせ後においては、孔よりでる部分の軸が長すぎ美観をそこねる場合や、軸先端を尖らせた場合には、危険防止のために軸を切断する場合があるが、切断する位置がそろえることが難しい場合は、切断の目印があれば切断工具にて切断位置をそろえることが簡単にできる。また、切断のための補助として凹や、ノッチがあれば、なお簡単に切断することができる。
【発明の実施の形態】
【００１５】
図１においては、弾性板材５より突出する軸４を、取り付け物３の孔に通し、弾性部材１に設けた、孔８の内形の凸部を鈍角曲げ２によって抜け止めとなる孔８に挿入し、板材５と弾性板材１をはさみ、板バネ部６が、取り付け物３に接した後も加圧し、空間７を減少させ、加圧後も弾性部５および、板バネ部６を弾性変形させ、互いに密着する取り付け構造の例である。
【００１６】
図２においては、弾性板材５より突出する引っ掛け部として凹凸を設けた、複数の軸４を取り付け物３の孔に通し、弾性部材１に設けた、複数の抜け止めとなる孔８に挿入し、板材５と弾性板材１をはさみこみ、板バネ部６が、取り付け物３に接した後も差し込み加圧し、空間７を減少させ、加圧後も弾性板材５および、板バネ部６を弾性変形させ、互いに密着する取り付け構造の例である。
【００１７】
図３においては、弾性部材１の孔８に、切り込み９を設け、凸部の鈍角曲げ２を設けた、抜け止め孔の例である。
【００１８】
図４においては、弾性部材１の孔８による食いつき部と、その他の食いつき部の間に、変形可能なつなぎ部１０を設け、変形することにより、取り付け間隔のずれを補正できる吸収部を設けた例である。
【００１９】
図５においては、弾性板材５の軸４と、その他の軸部の間に、変形可能なつなぎ部１０を設け、変形することにより取り付け間隔のずれを補正できる吸収部を設け、且つ、軸の根元Ｒ補強と、応力集中の分散用に効果が有るヌスミ曲げ１１が有る複数の軸を設けた取り付け例である。
【００２０】
図６においては、網戸の網材に、着色してある板材を多数取り付けて、広告用途として使用した例である。また、板材に有色透明または、半透明あるいは反射材を設定する事により、光の透過量を設定できる場合がある。なお、夜間においては屋内に照明を灯らせると、光の透過により外から見る広告をなお目立たせることができる。さらに、板材に模様や、写真や、絵などの好みの物を取り付けることで、プライバシーの保護の他に、個人的に楽しむことができる。
【００２１】
図７においては、網材１３に、防水用途、または遮光用途を持った付帯物１２を、はさんで取り付けた構造の例である。また、付帯物１２の材料を、色のついた物または、透明または、半透明に設定する事により、光の透過量を設定できる。
【００２２】
図８においては、網材１３に、抜け止め孔付き弾性板材１４に、防水用途、または遮光用途を持った物を一体化した場合の取り付け構造の例である。これにより部品点数を少なくでき、取り付けも簡単にできる。
【００２３】
図９においては、網戸１５の網材１３の水平方向長さに対応する部材を切断し、屋外側に雨水が落下するように雨返し部を設定した庇付き弾性板材１４を、取り付け基準部を網面に密着させて軸４を通し取り付けて姿勢保持する。これを所定の間隔で上下方向に複数並べて取り付けた例である。さらに網材または多孔材の水平方向の長さに対応する部材を切断する補助となる目印３１を設ければ長さをそろえることが容易になり、設置後の美観がよくできる。目印は、単に目盛り、目印線、色の差、または模様を設けることもあるが、切断の補助としては、孔、長孔、ノッチ、半抜き、または凹部を設定することも有効である。また、ビートや凹凸によって板材に高低差を設けることで部材を強化でき、網材に取り付けると網全体を強くできる。また雨返し部に波状にすれば雨切りが良くなる。さらに切断した部分にバリがでる場合はキャップや、カバーをつけることで危険防止になる。また、網材は劣化したものを使わずに、樹脂製や、金属製の丈夫なものを使うことが重要である。
【００２４】
図１０においては、雨返し用部材１６（防水用途、または遮光用途を持った物）に、姿勢保持する基準を設け、軸４を、網材１３に通し、抜け止め孔付き弾性部材１に挿入し、はさんで上下方向に複数並べて取り付けた取り付け構造の例である。
【００２５】
図１１においては、板材より突出する複数の軸４を持つ、板材１７（防水用途、または遮光用途を持った物）の軸４を、網材１３の網目に通し、断面に曲線が有る、抜け止め孔付きカール状弾性板材１８の抜け止め孔に軸を通し、はさむことによって取り付け材を支点に、可動できる取り付け構造の例である。また、裏面へ打ち出すための凹部２１を設けることにより網面に接触する凸部を形成でき、密着することができる取り付け構造の例である。
【００２６】
図１２においては、上記図１１の断面参考図であり、板材１７（防水用途、または遮光用途を持った物）の軸４を、網材１３の網目に通し、断面に曲線が有る抜け止め孔付き弾性板材１８の抜け止め孔に軸を通しはさみ、上下方向に複数並べる。連結する部材１９を上下に動かすことにより、取り付け材を支点に可動させ、角度２０を可変できる取り付け構造の例である。また、抜け止め孔付き弾性板材１８に、凸部２２を設けることにより、網面との隙間を少なく設定できばたつきを抑えた取り付け構造の例である。
【００２７】
図１３においては、弾性板材５より突出する弾力に富む軸４を、取り付け物３の孔に通し、弾性部材１に設けた、孔８の内形の凸部を鈍角曲げ２によって抜け止めとなる孔８に挿入し、弾性板材５と弾性板材１をはさみ、板バネ部６が、取り付け物３に接した後も加圧し、空間７を減少させ、加圧後も弾性板材５および、弾力に富む軸４および、板バネ部６を弾性変形させ、互いに密着する取り付け構造の例である。また、軸４先端の一定の範囲に、引っ張り伸ばさない無負荷の状態において、爪間孔寸法より細い設定にした軸４とつかむ部分２３を引っ張り、軸４を細く保持しながら軸４先端の一定の範囲までとりはずす方向へ移動させることで取りはずしもできる取り付け構造の例である。また、板バネ部６は断面の厚みに変化をつけることで板バネの強さを設定できる。
【００２８】
図１４においては、弾性板材５より突出する軸４のキリ状部２４の尖った部分を用い取り付け物３をつき破って貫通孔とし、弾性部材１に設けた孔８の内形凸部を鈍角曲げ２によって抜け止めとなる孔８に挿入し、板材５と弾性板材１をはさみ、板バネ部６が、取り付け物３に接した後も加圧し、空間７を減少させ、加圧後も弾性板材５および、板バネ部６を弾性変形させ互いに密着する。さらに、軸根元に補強Ｒがあるので軸が折れにくく、また、取り付け物３をつき破る際のかえりはヌスミ２６を設けることでヌスミ２６の中に収めることができ、かえりをはさむために密着固定できないことを防いだ取り付け構造の例である。さらに軸４に切断の目印となる凹部２７を設けることにより、所定の位置の目印で切断することで取り付け後の切断位置をそろえることが容易にできる。場合によっては凹部が抜け止めを強くする。
【００２９】
図１５においては、絞り加工によって作られる軸４に、抜け止め穴付き弾性部材の密着面に樹脂、植毛、ゴム、両面テープ、接着剤等の粘着性や弾力のある部材２８を設けることにより軸の横ずれを防止するため、孔部の補強ともなりうる取り付け構造の例である。また、複数の抜け止め孔付き弾性部材を使うことで、取り付けを強固にした例である。
【００３０】
図１６においては、軟らかな部材を取り付け物とした場合の、軟らかな部材に接する面に取り付ける場合において、角度２０を有する場合の抜け止め孔付き弾性部材の変形例である。軟弱な部材に接する面に対し横方向の位置ずれを防止する部分として位置ずれ防止凸部２９を設けた取り付け構造の例である。また、孔８に対応する軸の挿入角度２０によってできる空間は、板バネとなり密着固定するため取り付けを強くできる取り付け構造の例である。また、位置ずれ防止凸部２９のかわりに、位置ずれ防止粘着部材を用いても良い。
【００３１】
図１７においては、取り付け物が網材または、多孔材において、板材の平面方向に高低差を設け水切りに優れる波形とし、高部、低部より軸を突出させ、軸の根元部には、取り付け角度２０に合わせた切り欠き３０を設け、網材または、多孔材の貫通孔に通し、切り欠き３０と密着させ、食いつきによって軸を抜け止めできる孔を持つ抜け止め孔付き弾性部材を組み合わせ、姿勢保持する取り付け構造の例である。
【００３２】
図１８においては、軸４を複数にすることで軸付き弾性部材５の軸４を両端部より突出させることで、カタカナのコの字状に設定した場合の変形例である。プレス生産に適した形状であり、場合によっては板バネの作用を高めるためビートを設ける。
【００３３】
図１９においては、三角形の孔３２の周りに鈍角曲げ２を設けた弾性部材１と六角形の軸３３を用いた取り付け構造の例である。軸側あるいは孔側のどちらかを回転させることで隙間３４ができ、取り外しもできる。取り付け状態で向かい合う辺が無いので回転しにくい。
【００３４】
図２０においては、変形四角形の辺の中央部に凹部を設けた孔３５の周りに鈍角曲げ２を設けた弾性部材１と四角形の軸３６を用いた取り付け構造の例である。軸側あるいは孔側のどちらかを取手３７を利用して回転させることで隙間３４ができ、取り外しもできる。孔３５に設けた凹部により回転止めになりクリック感もでる。
【００３５】
図２１においては、位置決め部３８と回転ストッパー部４２がある異形孔３９の周りに鈍角曲げ２を設けた弾性部材１と異形の軸４０を用いた取り付け構造の例である。軸側あるいは孔側のどちらかを取手４１を利用して回転させ回転ストッパー部４２まで回すことで隙間３４ができ、取り外しもできる。孔３９に設けた位置決め部３８から回転ストッパー部４２までに回転範囲を設定でき、位置決め部３８の凹部により回転止めになりクリック感もでる。また、取手４１の回転の向きを見れば取り付け状態がすぐわかる。
【発明の効果】
【００３６】
請求項１の場合は、軸を挿入するだけで抜け止めできるため取り付け物および、付帯物をはさみこむ作業が簡単で、且つ、はさみこんだ物が、互いに密着することができるため、ぐらつきが無く、振動にも強く、強固に固定することができ、さらに、細い軸にも対応できる。取り外しも考慮すれば幅広い用途に適用できる。
特に取り外しに考慮せず、軸側と孔側の双方に金属材料等の高強度材を使用し、なお且つ、食いつきも高強度にした場合は、食いつく位置の戻す方向への移動や、再度の付け直しが難しく、軸側または孔側を破壊しなくてはならない場合もあり戸締りに用いれば、空き巣に入られにくくなり防犯用としての取り付けにも適用できる。
【００３７】
請求項２の場合は、上記請求項１記載の取り付け構造において、取り付け直しや、取り外しが難しい場合があるが、特に高強度を必要としない場合には、軸に弾力に富む部材を用いることで、取り付け直しや、取り外しができるため書類を綴る場合や複数の部材を接着する際の仮固定にも適用できる。
【００３８】
請求項３の場合は、上記請求項１、２記載の取り付け構造において、軸を複数にすることにより、軸を中心に部材が回転することが無いため固定が強く、且つ、ぐらつくことを防げるため、さらに強度を必要とする取り付けや、振動する箇所での取り付けにも対応できる。大きな取り付け物であっても、はさむ有効面積も増やすことができるため、取り付け材にかかる負担を、少なくできる。また、軸付き弾性板材の軸を両端部より突出させることでカタカナのコの字状に出来る場合があり、その場合にはプレス生産に適した形状となるため、安価に製造できる。
【００３９】
請求項４の場合は、上記請求項３記載の取り付け構造において、複数の食いつき部に対し、取り付け部の孔位置または、軸と孔の位置が合致しない場合にでも、吸収部によってずれを補正できるため、取り付け軸と孔が互いに正規の構造にて密着固定できるため多少のずれのある場合にでも適用できる。また、熱で部材が伸縮する場合にも吸収部があれば不具合を減少できる。
【００４０】
請求項５の場合は、樹脂やゴム、紙、繊維、建材等を連結する場合、または綴る場合において、あらかじめ孔をあけてなくても良い。そのため急ぐ場合や、現場で施工状況に合わせた連結作業をする場合や、服にバッジ等を取り付ける場合にも容易に対応できる。さらに尖った部分に硬い材質を用いれば、さらに簡単に貫通孔をあけることができる。
【００４１】
請求項６の場合は、軸の根元の補強Ｒにより、強い外力が加わっても根元が、割れや、曲がりを軽減し、折れにくくなるため、長期間の使用にも対応できる。また、ヌスミを設けた場合は、軸先端で軟質材を破る場合に、軸の周りに余った軟質材のかえりが発生してもかえりをヌスミ部に収めることにより、密着の妨げになることを防げ固定密着できるので、付け直し等の失敗が減らせる。
【００４２】
請求項７の場合は、網戸等において、遮光や、公告や、プライバシーの保護や、雨の屋内への進入防止をする部材等を取り付けたい場合に、細い軸を強固に固定し、なおかつ風、雪、雨等の外力にも耐える有効な取り付け方法に適用できる。また、抜け止め孔付き弾性部材または、板材より突出する軸を持つ板材に雨返し部や取り付け基準部を設けた場合は、一体化により部品を１個減らすことができるため、安価になり取り付けもより簡単にできる。
【００４３】
請求項８の場合は、網戸等においては、遮光や、プライバシーの保護や雨の屋内への進入防止をする部材を取り付け、姿勢保持と水切りを両立する有効な取り付け方法に適用できる。且つ、簡単な構造で板材を取り付けることができるため、部品点数を少なくし、取り付けも簡単である。
【００４４】
請求項９の場合は、網戸等において、遮光や、プライバシーの保護や、雨の屋内への進入防止をする部材を工事無しで簡単に取り付けることができる。また連結する部材を可動させれば角度が変わり、簡単に遮光調整ができる。なお且つ、部品点数が少ないため安価にできる。また、抜け止め孔付き弾性板材１８に、凸部２２を設けることにより、網面との隙間を、少なく設定できるため、がたつきが少なくなり、風雨の音を軽減できる。
【００４５】
請求項１０の場合は、挿入に最低必要な長さの軸であっても、組み合わせ後においては、孔よりでる部分の軸が長すぎる場合や、軸先端を尖らせた場合には、美観を良くする目的や、危険防止のために軸を切断する場合があるが、切断する位置がそろえることが難しい場合があるが、切断の目印があれば、市販されている切断工具等にて、切断位置をそろえて切断することができるため、美観を良くできる。また、切断のための補助として軸に凹や、ノッチがあれば、折り曲げやねじることで、なお簡単に切断することができる。
【００４６】
網戸に部材を取り付けた場合は、雨が降った場合でも、防水ができる部材を付帯物として網戸に取り付ければ、内側のガラス戸等を開けることで通気が可能となる。これにより、降雨に関わらずに、新鮮な外気を取り入れることができる。
また、夏のむし暑い期間でも、涼風を取り入れることができれば、エアコンの使用を抑えることができる。また遮光ができるブラインド等を、付帯物として網戸に取り付ければ、日よけや、外からの視線を防ぐことができるので、プライバシーの保護ができる。これにより、室内のカーテンや、ブラインドが要らなくなる場合もある。また、夏の暑い期間の日中で、ガラス戸を閉めて、エアコンを使用する場合でも、遮光物が屋外側にある場合には、屋内の温度の上昇を抑えることができ、エアコンのエネルギー消費を抑えることができる。また、夏の暑い期間の夜間において、涼風をとりいれたい場合があるが、電灯を使うと、網戸越しに、屋外から屋内が丸見えになるが、ブラインド等を取り付ければ、外からの視線を防ぐことができる。これにより、窓の幕を用いたカーテン等を使用する場合より通気がよくなる。また、広告を、付帯物として網戸に取り付ければ、複数のガラス戸に広告を設けた場合に、戸を開けると、文字やマークがわからなくなるため、新鮮な外気を取り入れることができないが、網戸に取り付ければ、ガラス戸を開けてもかまわない。また、これらの取り付けには、既存の網戸にそのまま取り付ける場合においても、工事する必要がないので、設備に傷をつけることがない。また、遮光物を取り付けた場合は日光による網材の劣化を防ぐことができる。また、ペットなどの小動物が網材を破ることがあるが、部材をつけることで防ぐことができる。
【図面の簡単な説明】
【図１】（ａ）は、本発明実施の正面図である。（ｂ）は、側面分解図である。（ｃ）は、断面の組み合わせ図である。
【図２】（ａ）は、本発明実施の複数の食いつき部を設けた場合の正面図である。（ｂ）は、側面分解図である。（ｃ）は、断面の組み合わせ図である。
【図３】（ａ）は、本発明実施の複数の食いつき部を設けた場合の抜け止め孔付き弾性部材の正面図である。（ｂ）は、断面の側面図である。
【図４】（ａ）は、本発明実施の複数の抜け止め孔付き弾性部材と、つなぎ部を設けた場合の正面図である。（ｂ）は、断面の側面図である。
【図５】（ａ）は、本発明実施の複数の板材より突出する軸を持つ弾性板材を設けた場合の正面図である。（ｂ）は、側面図である。（ｃ）は、断面図である。
【図６】網戸に板材を取り付け、広告に用いた実施例の正面図である。
【図７】付帯物に、防水用途、または遮光用途を設けた実施例の組み合わせ断面の側面図である。
【図８】構成物に、防水用途、または遮光用途を設けた実施例の組み合わせ断面の側面図である。
【図９】網戸の、網材に板材を取り付け、防水用途、または遮光用途に設けた実施例の斜視図である。
【図１０】構成物に、防水用途、または遮光用途、および基準の保持部を設けた実施例の断面の側面図である。
【図１１】網材に防水用途、または遮光用途を設けた板材を取り付ける参考となる実施例の斜視図である。
【図１２】網材に可動できる防水用途、または遮光用途を設けた板材を取り付けた実施例の組み合わせ断面の側面図である。
【図１３】（ａ）は、本発明実施の軸に弾力に富む部材を用いた場合の正面図である。（ｂ）は、側面分解図である。（ｃ）は、断面の組み合わせ図である。
【図１４】（ａ）は、本発明実施の尖らせた軸の根元に補強Ｒとヌスミがある場合の正面図である。（ｂ）は、側面分解図である。（ｃ）は、断面の組み合わせ図である。
【図１５】（ａ）は、本発明実施の軸に凹部があり、抜け止め孔付き弾性部材に位置ずれ防止粘着部がある場合の正面図である。（ｂ）は、側面分解図である。（ｃ）は、断面の組み合わせ図である。
【図１６】（ａ）は、本発明実施の抜け止め孔付き弾性部材の基準部と軸の取り付け方向の角度を違わせた場合の側面図である。（ｂ）は、正面図である。
【図１７】（ａ）は、本発明実施の正面図である。（ｂ）は、断面参考図である。（ｃ）は、断面の組み合わせ参考図である。
【図１８】（ａ）は、本発明実施の軸付き弾性板材の軸を両端部より突出させカタカナのコの字状に設定した場合の正面図である。（ｂ）は、側面図である。（ｃ）は、断面図である。
【図１９】（ａ）は、本発明実施の組み立ての正面図である。（ｂ）は、軸付き弾性板材の正面図である。（ｃ）は、取り外し可能な状態の正面図である。
【図２０】（ａ）は、本発明実施の組み立ての正面図である。（ｂ）は、軸付き弾性板材の正面図である。（ｃ）は、取り外し可能な状態の正面図である。
【図２１】（ａ）は、本発明実施の組み立ての正面図である。（ｂ）は、軸付き弾性板材の正面図である。（ｃ）は、取り外し可能な状態の正面図である。
【符号の説明】
１  弾性板材
２  鈍角曲げ
３  取り付け物
４  軸
５  弾性板材
６  板バネ部
７  空間
８  孔
９  切り込み
１０  つなぎ部
１１  ヌスミ曲げ
１２  付帯物
１３  網材
１４  庇付き弾性板材
１５  網戸
１６  雨返し用部材
１７  板材
１８  弾性板材
１９  連結する部材
２０  角度
２１  裏面へ打ち出すための凹部
２２  凸部
２３  つかむ部分
２４  キリ状部
２５  ヌスミ
２６  補強Ｒ
２７  軸に設けた凹部
２８  位置ずれ防止粘着部
２９  位置ずれ防止凸部
３０  切り欠き
３１  切断のための目印
３１  裏面へ打ち出すための凹部
３２  三角形の孔
３３  六角形の軸
３４  隙間
３５  凹部を設けた孔
３６  四角形の軸
３７  取手
３８  位置決め部
３９  異形状の孔
４０  異形状の軸
４１  取手
４２  回転ストッパー部
【図１】
2005023961.tif 000003
【図２】
2005023961.tif 000004
【図３】
2005023961.tif 000005
【図４】
2005023961.tif 000006
【図５】
2005023961.tif 000007
【図６】
2005023961.tif 000008
【図７】
2005023961.tif 000009
【図８】
2005023961.tif 000010
【図９】
2005023961.tif 000011
【図１０】
2005023961.tif 000012
【図１１】
2005023961.tif 000013
【図１２】
2005023961.tif 000014
【図１３】
2005023961.tif 000015
【図１４】
2005023961.tif 000016
【図１５】
2005023961.tif 000017
【図１６】
2005023961.tif 000018
【図１７】
2005023961.tif 000019
【図１８】
2005023961.tif 000020
【図１９】
2005023961.tif 000021
【図２０】
2005023961.tif 000022
【図２１】
2005023961.tif 000023